(57)【要約】【課題】タイマープラスキーで短いタイマー時間を設定し、タイマーマイナスキーで長いタイマー時間を設定すると共に、タイマーマイナスキーの誤操作により長時間調理が継続されることのないようにすること。【解決手段】加熱コイル３が調理中でかつタイマー時間が未設定の時に、タイマープラスキー１４を第１受け付け時間押下すると第１タイマー時間に設定し、タイマーマイナスキー１５を第１受け付け時間に比べて長い第２受け付け時間押下すると第１タイマー時間と比べ長い第２タイマー時間に設定することにより、タイマー時間の設定が容易となると共に、布巾などにより誤ってタイマーマイナスキーが押下される場合でも、意図せず長いタイマー時間が設定される可能性を減らすことが可能となる。【選択図】図１
2014229431.tif 000002
【特許請求の範囲】
【請求項１】
被調理物を加熱する加熱部と、設定されているタイマー時間を記憶し前記タイマー時間が設定された後における前記加熱部の加熱動作継続時間を計測するタイマー部と、前記加熱部が調理中でかつ前記タイマー時間が設定されている時に第１受け付け時間押下すると前記タイマー時間を増加させるタイマープラスキーと、前記加熱部が調理中でかつ前記タイマー時間が設定されている時に第２受け付け時間押下すると前記タイマー時間を減少させるタイマーマイナスキーと、前記加熱部の加熱動作を制御すると共に、前記タイマー部の計測結果に基づき、前記加熱部が前記設定されているタイマー時間だけ加熱動作を継続すると加熱動作を停止する制御部と、を備え、前記加熱部が調理中でかつ前記タイマー時間が未設定の時に前記タイマープラスキーを第３受け付け時間押下すると前記タイマー時間を第１タイマー時間に設定し、前記加熱部が調理中でかつ前記タイマー時間が未設定の時に前記タイマーマイナスキーを、前記第１受け付け時間、前記第２受け付け時間および前記第３受け付け時間のいずれに比べても長い第４受け付け時間押下すると前記タイマー時間を前記第１タイマー時間に比べ長い第２タイマー時間に設定する加熱調理器。
【請求項２】
前記加熱部が調理中でかつ前記タイマー時間が未設定の時に、前記タイマーマイナスキーを押下し前記タイマー時間を前記第２タイマー時間に設定した際には、前記加熱部が調理中でかつ前記タイマー時間が未設定の時に、前記タイマープラスキーを押下し前記タイマー時間を前記第１タイマー時間に設定した際とは違う音声を再生する請求項１に記載の加熱調理器。
【請求項３】
前記制御部は、複数の調理モードの中からひとつの調理モードを選択して前記加熱部の加熱動作を制御することが可能であり、選択した前記調理モードで前記加熱部が調理中でかつ前記タイマー時間が未設定の時に、前記タイマーマイナスキーを押下した際に設定される前記第１タイマー時間は、選択した前記調理モードでの調理が完了するまでに必要とする時間が長いほど、長くなるようにした請求項１又は２に記載の加熱調理器。
【請求項４】
複数の調理モードは、複数の設定火力の中から一つを設定可能な加熱モードと、所定の温度に前記被調理物の温度を調節する焼き物調理モードを含み、前記タイマー時間が未設定の時に、前記タイマーマイナスキーを押下した際に設定される前記第１タイマー時間は、前記加熱モードで前記加熱部が調理中の時のほうが、前記焼き物調理モードで前記加熱部が調理中の時よりも長くなるようにした請求項３に記載の加熱調理器。
【請求項５】
前記制御部は、複数の設定火力の中から一つの設定火力を設定可能な加熱モードで前記加熱部の加熱動作を制御することが可能であり、前記加熱モードで前記加熱部が調理中でかつ前記タイマー時間が未設定の時に、前記タイマーマイナスキーを押下した際に設定される前記第１タイマー時間は、前記設定火力が大きくなるほど短くなるようにした請求項１〜４のいずれか１項に記載の加熱調理器。
【請求項６】
前記制御部は、前記加熱部が調理中でかつ前記タイマー時間が未設定の時に、前記タイマーマイナスキーを前記第１の受け付け時間より長い一定時間継続して押下し続けた場合に前記加熱部の加熱動作を停止する請求項１〜５のいずれか１項に記載の加熱調理器。
【発明の詳細な説明】
【技術分野】
【０００１】
本発明は、タイマープラスキーとタイマーマイナスキーでタイマー時間を設定してタイマー調理をする加熱調理器に関するものである。
【背景技術】
【０００２】
従来、この種の加熱調理器は、加熱調理器の操作部にタイマーの時間を増加させるタイマープラスキーとタイマーの時間を減少させるタイマーマイナスキーを設け、タイマー時間未設定時にタイマープラスキーを押下するとタイマー最小時間を設定し、タイマーマイナスキーを押下するとタイマー最大時間を設定することを可能としていた。（例えば、特許文献１参照）。
【０００３】
図５は、特許文献１に記載された操作表示部を示すものである。図５に示すように、操作表示部１０１には、火力アップキー１０３、火力ダウンキー１０４、タイマープラスキー１０５、タイマーマイナスキー１０６、加熱切／入キー１０７および火力表示部１０８が設けられている。各キーは０．１秒の受け付け時間でそのキーが押されたと認識する。タイマープラスキー１０５とタイマーマイナスキー１０６は、受け付け時間が０．２秒間経過する毎に、タイマープラスキー１０５の場合はタイマー時間を増加し、タイマーマイナスキー１０６の場合はタイマー時間を減少させる。そして、タイマー時間未設定で調理時にタイマープラスキー１０５を押下するとタイマー最小時間を設定し、タイマーマイナスキー１０６を押下するとタイマー最大時間を設定する。
【先行技術文献】
【特許文献】
【０００４】
【特許文献１】特開２００８−１２２３０８号公報
【発明の概要】
【発明が解決しようとする課題】
【０００５】
しかしながら、前記従来の構成では、タイマー時間が未設定で調理中に、誤ってタイマーマイナスキー１０６の押下を受け付けた場合に、最大時間のタイマー時間が設定される。この状態で、使用者が加熱を切り忘れた場合には意図せず長時間の加熱が継続される可能性があるという課題があった。特に操作表示部１０２の各キーが静電式タッチキーの場合には、布巾で拭く際や、水滴の付着などにより意図せずキーを受け付けてしまうことが考えられる。
【０００６】
本発明は、前記従来の課題を解決するもので、意図せず長時間のタイマーが設定されることを防ぐことができ、安全性と使い勝手を両立した加熱調理器を提供することを目的とする。
【課題を解決するための手段】
【０００７】
本発明にかかる加熱調理器は、被調理物を加熱する加熱部と、設定されているタイマー時間を記憶し前記タイマー時間が設定された後における前記加熱部の加熱動作継続時間を計測するタイマー部と、前記加熱部が調理中でかつ前記タイマー時間が設定されている時に第１受け付け時間押下すると前記タイマー時間を増加させるタイマープラスキーと、前記加熱部が調理中でかつ前記タイマー時間が設定されている時に第２受け付け時間押下すると前記タイマー時間を減少させるタイマーマイナスキーと、前記加熱部の加熱動作を制御すると共に、前記タイマー部の計測結果に基づき、前記加熱部が前記設定されているタイマー時間だけ加熱動作を継続すると加熱動作を停止する制御部と、を備え、前記加熱部
が調理中でかつ前記タイマー時間が未設定の時に前記タイマープラスキーを第３受け付け時間押下すると前記タイマー時間を第１タイマー時間に設定し、前記加熱部が調理中でかつ前記タイマー時間が未設定の時に前記タイマーマイナスキーを、前記第１受け付け時間、前記第２受け付け時間および前記第３受け付け時間のいずれに比べても長い第４受け付け時間押下すると前記タイマー時間を前記第１タイマー時間に比べ長い第２タイマー時間に設定するという特徴を持つものである。
【０００８】
この構成により、タイマー時間が未設定の時に、タイマーマイナスキーを押下することで長時間のタイマー時間を設定することが容易になる。また、使用者が意図して長時間のタイマー時間を設定した場合のみ長時間のタイマー時間を設定できるようにしつつ、誤操作により長時間のタイマー時間が設定されにくくすることで、使用者の意図しない長時間の加熱が行われることを防ぐことができる。
【発明の効果】
【０００９】
本発明の加熱調理器は、調理中にタイマー未設定である場合に、タイマープラスキーで短いタイマー時間を設定し、タイマーマイナスキーで長いタイマー時間を設定することができるので、タイマー時間の設定が容易となると共に、布巾などにより誤ってタイマーマイナスキーが押下される場合でも、意図せず長いタイマー時間が設定される可能性を減らすことが可能となるため、安全性を確保しつつ、タイマープラスキーとタイマーマイナスキーによるタイマー時間の設定作業を容易にすることができる。
【図面の簡単な説明】
【００１０】
【図１】本発明の実施の形態１における加熱調理器の全体回路構成を示すブロック図
【図２】（ａ）同加熱調理器の加熱モードで調理開始前の操作表示部の表示を示す図（ｂ）同加熱調理器の加熱モードで加熱開始とほぼ同時の操作表示部の表示を示す図（ｃ）同加熱調理器の加熱モードで調理中かつタイマー時間未設定時にタイマープラスキーが押下されたときの操作表示部の表示を示す図（ｄ）同加熱調理器の加熱モードでタイマー部のカウントによりタイマー時間が０分となったときの操作表示部の表示を示す図（ｅ）同加熱調理器の加熱モードで調理中かつタイマー時間未設定時にタイマーマイナスキーが押下されたときの操作表示部の表示を示す図
【図３】本発明の実施の形態２における加熱調理器の全体回路構成を示すブロック図
【図４】（ａ）本発明の実施の形態３における加熱調理器の焼き物調理モードで調理開始前の操作表示部の表示を示す図（ｂ）同加熱調理器の焼き物調理モードで加熱開始とほぼ同時の操作表示部の表示を示す図（ｃ）同加熱調理器の焼き物調理モードで調理中かつタイマー時間未設定時にタイマープラスキーが押下されたときの操作表示部の表示を示す図（ｄ）同加熱調理器の焼き物調理モードで調理中かつタイマー時間未設定時にタイマーマイナスキーが押下されたときの操作表示部の表示を示す図
【図５】従来の加熱調理器の操作表示部を示す図
【発明を実施するための形態】
【００１１】
第１の発明は、被調理物を加熱する加熱部と、設定されているタイマー時間を記憶し前記タイマー時間が設定された後における前記加熱部の加熱動作継続時間を計測するタイマー部と、前記加熱部が調理中でかつ前記タイマー時間が設定されている時に第１受け付け時間押下すると前記タイマー時間を増加させるタイマープラスキーと、前記加熱部が調理中でかつ前記タイマー時間が設定されている時に第２受け付け時間押下すると前記タイマー時間を減少させるタイマーマイナスキーと、前記加熱部の加熱動作を制御すると共に、前記タイマー部の計測結果に基づき、前記加熱部が前記設定されているタイマー時間だけ加熱動作を継続すると加熱動作を停止する制御部と、を備え、前記加熱部が調理中でかつ
前記タイマー時間が未設定の時に前記タイマープラスキーを第３受け付け時間押下すると前記タイマー時間を第１タイマー時間に設定し、前記加熱部が調理中でかつ前記タイマー時間が未設定の時に前記タイマーマイナスキーを、前記第１受け付け時間、前記第２受け付け時間および前記第３受け付け時間のいずれに比べても長い第４受け付け時間押下すると前記タイマー時間を前記第１タイマー時間に比べ長い第２タイマー時間に設定する加熱調理器とするものである。
【００１２】
この構成により、タイマー時間が未設定の時に、タイマーマイナスキーを押下することで長時間のタイマー時間を設定することが容易になる。また、加熱部が調理中でタイマー時間が未設定の時のタイマーマイナスキーの受け付け時間である第４受け付け時間を、加熱部が調理中でタイマー時間が未設定の時のタイマープラスキーの受け付け時間である第３受け付け時間、加熱部が調理中でタイマー時間が設定されている時のタイマープラスキーの受け付け時間である第１受け付け時間および加熱部が調理中でタイマー時間が設定されている時のタイマーマイナスキーの受け付け時間である第２受け付け時間のいずれに比べても長い時間とすることで、加熱部が調理中である場合は、使用者が意図して長時間のタイマー時間を設定した場合のみ、タイマーマイナスキーの操作で長時間のタイマー時間を設定できるものとしつつ、誤操作により長時間のタイマー時間が設定されないようにすることで、使用者の意図しない長時間の加熱が行われることを防ぎ、安全性と使い勝手の両立したタイマー機能を実現することが可能となっている。
【００１３】
第２の発明は、特に、第２の発明の前記加熱部が調理中でかつ前記タイマー時間が未設定の時に、前記タイマーマイナスキーを押下し前記タイマー時間を前記第２タイマー時間に設定した際には、前記加熱部が調理中でかつ前記タイマー時間が未設定の時に、前記タイマープラスキーを押下し前記タイマー時間を前記第１タイマー時間に設定した際とは違う音声を再生する構成とすることにより、誤って長い時間のタイマー時間を設定してしまった場合にも使用者が気付きやすいような報知動作とし、調理に悪影響を与えず安全性を向上させることができる。
【００１４】
第３の発明は、特に、第１又は２の前記制御部は、複数の調理モードの中からひとつの調理モードを選択して前記加熱部の加熱動作を制御することが可能であり、選択した前記調理モードで前記加熱部が調理中でかつ前記タイマー時間が未設定の時に、前記タイマーマイナスキーを押下した際に設定される前記第１タイマー時間は、選択した前記調理モードでの調理が完了するまでに必要とする時間が長いほど、長くなるようにした構成とすることで仮に誤操作により意図していない長いタイマー時間が設定された場合において、その後継続される加熱時間をできるだけ短くすることができ、安全性を向上させることが可能となる。
【００１５】
第４の発明は、特に、第３の発明の複数の調理モードは、複数の設定火力の中から一つを設定可能な加熱モードと、所定の温度に前記被調理物の温度を調節する焼き物調理モードを含み、前記タイマー時間が未設定の時に、前記タイマーマイナスキーを押下した際に設定される前記第１タイマー時間は、前記加熱モードで前記加熱部が調理中の時のほうが、前記焼き物調理モードで前記加熱部が調理中の時よりも長くなるようにしたことにより、加熱モードでは煮込み調理など数時間続くような調理を行う可能性があるのに対し、焼き物調理モードでは高温に被調理物の温度が維持されかつ通常数時間連続で調理を続けることがほとんどないため、誤操作により不必要に長時間のタイマーが設定され被調理物が高温に維持されてしまうのを防止することができる。
【００１６】
第５の発明は、特に、第１〜４のいずれかの発明の前記制御部は、複数の設定火力の中から一つの設定火力を設定可能な加熱モードで前記加熱部の加熱動作を制御することが可能であり、前記加熱モードで前記加熱部が調理中でかつ前記タイマー時間が未設定の時に
、前記タイマーマイナスキーを押下した際に設定される前記第１タイマー時間は、前記設定火力が大きくなるほど短くなるようにしたことで仮に誤操作により意図していない長いタイマー時間が設定された場合において、その後継続される加熱時間をできるだけ短くすることができ、調理動作に支障を与えることなく安全性を向上させることが可能となる。
【００１７】
第６の発明は、特に第１〜５のいずれかの前記制御部は、前記加熱部が調理中でかつ前記タイマー時間が未設定の時に、前記タイマーマイナスキーを前記第１の受け付け時間より長い一定時間継続して押下し続けた場合に前記加熱部の加熱動作を停止することにより、加熱時かつタイマー時間未設定時にタイマーマイナスキーに水滴が付着して留まるなどしてキーを押下されていると誤検知された場合など、長時間のタイマー時間が誤って設定された場合において、加熱停止することができ、意図せず長時間の加熱が継続されることを防ぐことができ、安全性を向上させることができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における加熱調理器の全体回路構成のブロック図を示すものであり、図２（ａ）は、同加熱調理器の調理開始前の操作表示部の表示、同図（ｂ）は、同加熱調理器の加熱開始とほぼ同時の操作表示部の表示、同図（ｃ）は、同加熱調理器の調理中かつタイマー時間未設定時にタイマープラスキーが押下されたときの操作表示部の表示、同図（ｄ）は、同加熱調理器のタイマー部のカウントによりタイマー時間が０分となったときの操作表示部の表示、同図（ｅ）は、同加熱調理器の調理中かつタイマー時間未設定時にタイマーマイナスキーが押下されたときの操作表示部の表示をそれぞれ示すものである。
【００２０】
図１において、本体（図示せず）上部には、被調理物１を載せるトッププレート２と、トッププレート２の下方に被調理物１を誘導加熱する加熱部である加熱コイル３が設けられる。本体内には、加熱コイル３に高周波電流を供給するインバータ４が設けられる。トッププレート２の上面には、使用者が操作することが可能なキーと使用者に現在の加熱コイル３の加熱状態を表示する表示部を有する操作表示部７が設けられる。また本体内には、使用者が設定したタイマー時間の間加熱を継続させるタイマー機能を実現するため、タイマー時間を記憶し、時間をカウントするタイマー部６と、操作表示部７からの信号に従ってインバータ４の出力制御やタイマー部６の機能を用いたタイマー制御を行う制御部５を有している。
【００２１】
操作表示部７は、使用者が操作することが可能なキーとして、加熱切／入キー１０、メニュー選択キー１１、火力アップキー１２、火力ダウンキー１３、タイマープラスキー１４およびタイマーマイナスキー１５を備える。また、操作表示部７は、現在の加熱コイル３の加熱状態を表示する表示部として、使用者に火力を見せるための火力表示部８およびタイマー時間を表示するタイマー時間表示部９を有する。
【００２２】
各キーは、トッププレート２の上面にキー電極を印刷して形成した静電容量式のタッチキーを使用した構成としている。各キーを押下する状態が所定の受け付け時間継続すると、制御部５が各キーを押下したと判定する。例えば、各キーの受け付け時間は、通常、約０．１秒に設定される。
【００２３】
以下、タイマープラスキー１４とタイマーマイナスキー１５の特徴構成について説明する。
【００２４】
タイマープラスキー１４は、加熱コイル３が調理中において、タイマー時間が設定されている場合には、タイマープラスキー１４を第１受け付け時間押下するとタイマー時間を増加させ、タイマー時間が未設定の場合には、タイマープラスキーを第３受け付け時間押下するとタイマー時間を第１タイマー時間に設定する。第１受け付け時間と第３受け付け時間を略同一時間としても良く、両者は共に、タイマーマイナスキー１５を除く他のキーと同様に、０．１秒に設定することができる。
【００２５】
タイマーマイナスキー１５は、加熱コイル３が調理中において、タイマー時間が設定されている場合には、第２受け付け時間押下するとタイマー時間を増加させ、タイマー時間が未設定の場合には、第１受け付け時間、前記第２受け付け時間および前記第３受け付け時間のいずれに比べても長い第４受け付け時間押下するとタイマー時間を第１タイマー時間に比べ長い第２タイマー時間に設定する。第２受け付け時間は、第１受け付け時間および第３受け付け時間と略同一時間としてもよく、例えば、０．１秒に設定することができる。第４受け付け時間は、例えば、１秒に設定することができる。
【００２６】
以上のように構成された加熱調理器について、以下その動作、作用を、図２と共に説明する。
【００２７】
電源スイッチ（図示せず）が投入されると制御部５は初期状態で、すなわち、加熱動作が開始されていない状態で、使用者が操作表示部７のキーを押下するのを待つ。初期状態において、制御部５は複数の調理モードのうちのひとつである加熱モードが選択された状態にある。メニュー選択キー１１が押下されるごとに選択される調理モードが他の調理モードに移行し、押下を続けると再度加熱モードに戻るというロータリー方式で、複数の調理モードの中から一つの調理モードが選択される。
【００２８】
制御部５は、加熱モードが選択された状態で、操作表示部７の加熱切／入キー１０を押下した場合に、インバータ４を制御し、加熱コイル３に高周波電流を供給することで被調理物を加熱する。このとき、制御部５は、操作表示部７に調理中であることを表す表示を行う。使用者は操作表示部７の火力アップキー１２または火力ダウンキー１３を押下して加熱コイル３の火力を調整しながら選択した火力で調理を行うことができる。
【００２９】
制御部５が初期状態、すなわち加熱モードにある場合に、調理開始前の操作表示部７の表示は図２（ａ）に示すようになっている。調理を行っていないため火力表示部８は消灯しており、タイマー時間表示部９にもタイマー時間を表示していない。使用者が加熱を開始するために加熱切／入キー１０を押下すると、制御部５は加熱切／入キー１０が押下されたことを検知しインバータ４を制御して加熱コイル３に高周波の電流を供給することで加熱を開始させる。
【００３０】
制御部５は、加熱開始とほぼ同時に操作表示部７の表示を図２（ｂ）のように変更する。このとき、制御部５は加熱開始時の設定火力を５としており、操作表示部７の火力表示部８の火力“１”から火力“５”までのブロックを点灯させている。タイマー時間の設定は行っていないためタイマー時間表示部９には何も表示していない。
【００３１】
次に、使用者がタイマー時間を設定して一定時間の加熱を行いたい場合の動作を説明する。使用者がタイマー時間の設定を行う際にはタイマープラスキー１４又はタイマーマイナスキー１５を押下することでタイマー時間の設定を行うことが可能である。
【００３２】
まずタイマープラスキー１４を押下した場合の動作について述べる。調理中かつタイマー時間未設定時にタイマープラスキー１４を押下すると、制御部５はタイマー部６にタイマー時間、例えば１分、が設定されたことを通知し、タイマー時間１分を記憶すると共に
タイマー部６は時間のカウントを開始する。タイマープラスキー１４は使用者が第３受け付け時間（例えば、０．１秒）以上押下した場合に受け付ける。このとき、図２（ｃ）のように、制御部５は操作表示部７のタイマー時間表示部９で表示するタイマー時間を、例えば「０：０１」と変更し、使用者にタイマー時間として、第１タイマー時間（この場合、１分）が設定されていることを通知する。
【００３３】
この時、タイマープラスキー１４を更に押下することでタイマー時間を２分、３分・・・と設定することが可能となっており、タイマー時間表示部９も設定されたタイマー時間に応じて「０：０２」「０：０３」・・・というようにタイマー時間を表示していく。
【００３４】
仮に、３分のタイマー時間を設定したとする。この時、タイマー部６は制御部５からタイマー時間３分の通知を受けてから、すなわち、タイマー時間が設定されてから、調理中における時間のカウントを行う。タイマー時間が設定されてから１分経過した場合にはタイマー部６は３分のタイマー時間が２分となったことを制御部５に通知し、制御部５は操作表示部７のタイマー時間表示部９の表示を「０：０３」から「０：０２」に変化させる。このようにタイマー部６のカウント結果に従ってタイマー時間表示部９に表示しているタイマー時間を減算させていく。タイマー部６は、時間のカウントによりタイマー時間が０分となった場合には、設定されているタイマー時間が０となったこと、すなわち、タイマー時間が設定されてから当該タイマー時間の間、加熱動作が継続したことを通知された制御部５が図２（ｄ）のように操作表示部７のタイマー時間表示部９に「０：００」という表示を数秒行うよう要求したのち、インバータ４を制御して加熱コイル３への電力供給を止め、加熱を停止する。この時に図２（ａ）のように非加熱時の表示を行う。
【００３５】
次に、使用者がタイマーマイナスキー１５を押下してタイマー時間を設定する場合の動作を説明する。調理中かつタイマー時間未設定時には操作表示部７の表示が図（ｂ）となっているが、このとき使用者がタイマーマイナスキー１５を押下すると、操作表示部７の表示を図２（ｅ）のように変更する。タイマー時間を、第１タイマー時間より長い第２タイマー時間（例えば、９時間３０分）に設定することができる。このタイマーマイナスキー１５は使用者が第４受け付け時間（例えば、１秒）以上押下すると受け付ける。これはタイマープラスキー１４の第１受け付け時間（例えば、０．１秒）、タイマーマイナスキー１５の第２受け付け時間（例えば、０．１秒）およびタイマープラスキー１４の第３受け付け時間（例えば、０．１秒）に対し長い時間としている。タイマーマイナスキー１５は、使用者が操作した場合以外に布巾でトッププレート２を拭いている際に誤ってキーが反応することなどを考慮し、通常の受け付け操作を行うための第１受け付け時間、第２受け付け時間および第３受け付け時間と比べ長い第４受け付け時間押下しないと反応しない仕様としている。これは、使用者が意図せず長時間のタイマーが設定され、更に調理中であることを忘れるなどして加熱したまま加熱調理器を放置した場合に、例えば、９時間３０分などの長時間加熱が継続されることを防ぐためである。タイマー時間未設定時に加熱状態のまま放置されることも考えられるが、タイマー時間を設定していない場合には、通常、切り忘れ対策で、例えば、４５分の無操作時に加熱を自動的に切る機能が働くため、長いタイマー時間が設定された場合と比較すると短い時間で加熱をオフすることとなる。
【００３６】
以上のように、本実施の形態によれば、被調理物１を加熱する加熱コイル３と、設定されているタイマー時間を記憶しタイマー時間が設定された後における加熱コイル３の加熱動作継続時間を計測するタイマー部６と、加熱コイル３が調理中でかつタイマー時間が設定されている時に第１受け付け時間押下するとタイマー時間を増加させるタイマープラスキー１４と、加熱コイル３が調理中でかつタイマー時間が設定されている時に第２受け付け時間押下するとタイマー時間を減少させるタイマーマイナスキー１５と、加熱コイル３の加熱動作を制御すると共に、タイマー部６の計測結果に基づき、加熱コイル３が設定されているタイマー時間だけ加熱動作を継続すると加熱動作を停止する制御部と、を備え、
加熱コイル３が調理中でかつタイマー時間が未設定の時にタイマープラスキー１４を第３受け付け時間押下するとタイマー時間を第１タイマー時間に設定し、加熱コイル３が調理中でかつタイマー時間が未設定の時にタイマーマイナスキー１５を、第１受け付け時間、第２受け付け時間および第３受け付け時間のいずれに比べても長い第４受け付け時間押下するとタイマー時間を第１タイマー時間に比べ長い第２タイマー時間に設定する。
【００３７】
この構成により、使用者が調理を一定時間（タイマー時間）継続させた後自動で調理を終了させたい場合には、操作表示部７のタイマープラスキー１４又はタイマーマイナスキー１５を押下することでタイマー時間を設定することができる。タイマー時間未設定時にタイマープラスキーを押下すると、設定しうる最小の時間のタイマーを設定することができる。
【００３８】
使用者はこの後、タイマープラスキー１４又はタイマーマイナスキー１５を押下することにより設定したいタイマー時間を変更して設定することが可能である。使用者がタイマー時間未設定時にタイマーマイナスキー１５を押下するとタイマープラスキー１４を押下した場合に設定される第１タイマー時間比べ、長い第２タイマー時間を設定することが可能となっている。この時、タイマーマイナスキー１５を受け付けるため必要なキー押下時間（第４受け付け時間）はタイマープラスキー１４押下時に必要なキー押下時間（第３受け付けに比べ長くすることで、使用者が意図して長時間のタイマー時間を設定した場合のみ長時間のタイマー時間を設定できるようにし、誤操作により長時間のタイマー時間が設定されないようにし、使用者の意図しない長時間の加熱が行われることを防ぎ、安全性と使い勝手の両立したタイマー機能を実現することが可能となっている。
【００３９】
なお、本実施の形態において、第１受け付け時間、第２受け付け時間および第３受け付け時間は全て同一としたが、必要に応じて受け付け時の違和感や誤操作が生じない範囲で互いに異なる値としてもよい。
【００４０】
（実施の形態２）
図３は、本発明の第２の実施の形態における加熱調理器の全体回路構成のブロック図を示すものである。
【００４１】
実施の形態１と同様の部分については説明を省略し、異なる部分について説明する。図３に示すように加熱調理器は音声報知部１６を有しており、制御部５は音声報知部１６に音声再生要求を行うことで実際に音声報知部１６が使用者に音声報知を行うことを可能としている。
【００４２】
調理中でかつタイマー時間未設定時に使用者はタイマープラスキー１４を押下することでタイマー時間を、第１タイマー時間（例えば、１分）に設定することが可能であるが、この時に制御部５は音声報知部１６に、例えば０．１秒のブザー音（ピッ）を再生するように要求を行う。要求を受けた音声報知部１６は前述の０．１秒のブザー音を再生し、使用者にタイマープラスキー１４を受け付けて第１タイマー時間が設定されたことを報知する。
【００４３】
調理中でかつタイマー時間未設定時に使用者がタイマーマイナスキー１５を操作した場合には第１タイマー時間より長い第２タイマー時間（例えば、９時間３０分）のタイマー時間がセットされるが、この時に制御部５は音声報知部１６にタイマープラスキー１４を受け付けた時より長い０．５秒のブザー音を３回（ピー、ピー、ピー）再生するよう要求し、音声報知部１６は要求に従いブザー音を再生する。
【００４４】
このようにタイマー時間未設定時にタイマーマイナスキー１５を押下し、タイマープラ
スキー１４を受け付けた時より長い時間のタイマー時間が設定された場合にはタイマープラスキー１４を押下して１分のタイマー時間が設定された時とは違う、使用者に注意喚起することができるブザー音で報知することで、誤って長い時間のタイマーを設定してしまった場合にも使用者が気付きやすいような動作とし、安全性を向上させることができる。
【００４５】
（実施の形態３）
図４（ａ）は、本発明の実施の形態３における加熱調理器の焼き物メニューが選択され調理が開始される前の操作表示部の表示、同図（ｂ）は、同加熱調理器の焼き物調理モードで調理が開始された時の操作表示部の表示、同図（ｃ）は、同加熱調理器の焼き物調理モードで調理中かつタイマー時間未設定時にタイマープラスキーが押下されたときの操作表示部の表示、（ｄ）同加熱調理器の焼き物調理モードで調理中かつタイマー時間未設定時にタイマーマイナスキーが押下されたときの操作表示部の表示をそれぞれ示すものである。
【００４６】
実施の形態１、２と同様の部分については説明を省略し、異なる部分について説明する。本実施の形態において、実施の形態１と異なる点は、制御部５は、複数の調理モードの中からひとつの調理モードを選択して加熱コイル３の加熱動作を制御することが可能であり、タイマー時間が未設定の時に、タイマーマイナスキー１５を押下した際に設定される第１タイマー時間は、選択した調理モードが完了するまでに必要とする時間が長いほど、長くなるように変更される構成とする点である。
【００４７】
以上のように構成された加熱調理器について、以下その動作、作用を、図４と共に説明する。
【００４８】
使用者がメニュー選択キー１１を押さない場合は、制御部５の調理モードは、加熱モードとなっているが、非加熱時において使用者がメニュー選択キー１１を押下すると、他の調理モードを選択することが可能となっている。使用者がメニュー選択キー１１を１回押下した場合には図４（ａ）のように焼き物調理モード表示が点滅状態となり、調理開始前に焼き物調理モードが選択されている状態となる。
【００４９】
このとき、加熱切／入キー１０を押下することで焼き物調理を開始し、図４（ｂ）のような表示となる。焼き物調理では高温度に被調理物の温度を調整して調理する必要があるため火力の選択を行わず、火力表示部８は消灯したままとしている。
【００５０】
次に、タイマー時間未設定時に使用者がタイマープラスキー１４を押下すると、加熱モード通常の加熱時と同様に設定される第２タイマー時間が例えば、１分となり、操作表示部７は図４（ｃ）のように表示する。
【００５１】
同様に調理中かつタイマー時間未設定時にタイマーマイナスキー１５を押下した場合にはタイマー時間を３０分に設定し図４（ｄ）のように表示する。通常の加熱時にはタイマーマイナスキー１５を押下すると第２タイマー時間（例えば、９時間３０分）としていたのに対し焼き物調理時にはタイマーマイナスキー１５を押下した場合設定されるタイマー時間（第１タイマー時間）を、短く設定している。この構成により、火力を設定して行う加熱調理では、例えば煮込み調理など、低火力で数時間続くような調理を行う可能性があることに対し、被調理物を高温で調理する焼き物調理では通常数時間連続で調理を続けることがほとんどないため、調理を制限することなく、誤操作により長時間被調理物が高温で放置されることを防止することができる。
【００５２】
同様に、制御部５は、複数の調理モードの中からひとつの調理モードを選択して加熱コ
イル３の加熱動作を制御することが可能であり、選択した調理モードで加熱コイル３が調理中でかつタイマー時間が未設定の時に、タイマーマイナスキー１５を押下した際に設定される第１タイマー時間は、選択した調理モードでの調理が完了するまでに必要とする時間が長いほど、長くなるようにすることで、タイマーマイナスキー１５の押下により、仮に誤操作により意図しているよりも長いタイマー時間が設定された場合に、調理に影響を与えないで、その後継続される加熱時間をできるだけ短くすることができ、安全性を向上させることが可能となる。
【００５３】
なお、実施の形態１〜３において、制御部５は、加熱コイル３が調理中でかつタイマー時間が未設定の時に、タイマーマイナスキー１５を第１の受け付け時間より長い一定時間（例えば、１０秒間）継続して押下し続けた場合に加熱部の加熱動作を停止し、操作表示部７の表示を図２（ａ）のように非加熱時の表示とする構成としてもよい。
【００５４】
このようにタイマーマイナスキー１５を通常操作で生起する可能性がない程度に長く押下し続けた場合に加熱停止する機能を有することで、加熱コイル３が調理時かつタイマー時間が未設定である時にタイマーマイナスキー１５に水滴が付着して留まるなど、キーが意図せず押下されていると判定することができる。したがって、意図しない長時間のタイマー時間が設定された場合において、加熱停止することで、不必要に長時間の加熱が継続されることを防ぐことができ、安全性を向上させることができる。
【００５５】
なお、実施の形態１〜３において、加熱コイル３に代え、他の種類の加熱部、例えば、シーズヒータやハロゲンなどの電気ヒータ、ガスなどとしても良い。
【産業上の利用可能性】
【００５６】
以上のように本発明にかかる加熱調理器は、タイマープラスキーとタイマーマイナスキーとで長いタイマー時間と短いタイマー時間を簡単に設定でき、かつ、誤って長いタイマー時間が設定されることを防ぐことができ、簡素で安全なタイマー調理機能を提供することができるので、他の種類の加熱部、例えば、シーズヒータやハロゲンなどの電気ヒータまたはガス等を加熱部とした加熱調理器の用途にも適用することができる。
【符号の説明】
【００５７】
１  被調理物
２  トッププレート
３  加熱コイル
４  インバータ
５  制御部
６  タイマー部
７  操作表示部
８  火力表示部
９  タイマー時間表示部
１０  加熱切／入キー
１１  メニュー選択キー
１２  火力アップキー
１３  火力ダウンキー
１４  タイマープラスキー
１５  タイマーマイナスキー
１６  音声報知部
【図１】
2014229431.tif 000003
【図２】
2014229431.tif 000004
【図３】
2014229431.tif 000005
【図４】
2014229431.tif 000006
【図５】
2014229431.tif 000007